(57)【要約】      （修正有）【課題】動映像を表示するときに発生するディザリングノイズを最小化することができるような表示装置のビデオデータ処理方法及び装置を提供する。【解決手段】ｉ（ｉは自然数）番目のフレームのデータとｉ＋１番目のフレームのデータとを比較し、ｉ＋１番目のフレームのデータが動映像なのか停止映像なのかを判断する段階と、動映像及び停止映像の判断結果に対応して相異なるディザリング方法を適用する段階と、を含む。【選択図】図８
2005182016.tif 000002
【特許請求の範囲】
【請求項１】
ｉ（ｉは自然数）番目のフレームのデータとｉ＋１番目のフレームのデータとを比較し、ｉ＋１番目のフレームのデータが動映像なのか停止映像なのかを判断する段階と、
前記動映像及び停止映像の判断結果に対応して相異なるディザリング方法を適用する段階と、を含むことを特徴とする表示装置のビデオデータ処理方法。
【請求項２】
前記ディザリング方法を適用する段階では、自己に入力されるデータの階調値及び垂直同期信号を用いてｊ（ｊは自然数；横）×ｊ（縦）形態に配置された多数のディザマスクパターンからいずれか一つを選択し、水平同期信号及びピクセルクロックを用いて選択されたディザマスクパターンから特定ディザ値を抽出してディザリングを行うことを特徴とする、請求項１記載の表示装置のビデオデータ処理方法。
【請求項３】
前記ディザリング方法を適用する段階では、ｉ＋１番目のフレームのデータが動映像と判断されると、ｉ＋１番目のフレームで一番目のディザマスクパターンを適用するとき、前記ｊ×ｊディザマスクパターンから一つの垂直ライン分を除去したｊ×（ｊ−１）のディザマスクパターンを用いてディザリングを行い、前記一番目を除いた残りのディザマスクパターンを適用するとき、前記ｊ×ｊディザマスクパターンを用いてディザリングを行うことを特徴とする、請求項２記載の表示装置のビデオデータ処理方法。
【請求項４】
前記ディザリング方法を適用する段階では、前記ｉ＋１番目のフレームの一番目のディザマスクパターンでｊ×（ｊ−１）のディザマスクパターンのみが利用できるように前記ピクセルクロックを制御する段階をさらに含むことを特徴とする、請求項３記載の表示装置のビデオデータ処理方法。
【請求項５】
前記ディザリング方法を適用する段階では、ｉ＋１番目のフレームのデータが停止映像と判断されると、前記ｊ×ｊディザマスクパターンを用いてディザリングを行うことを特徴とする請求項２記載の表示装置のビデオデータ処理方法。
【請求項６】
ｉ（ｉは自然数）番目のフレームのデータとｉ＋１番目のフレームのデータとを比較し、ｉ＋１番目のフレームのデータが動映像なのか停止映像なのかを判断する動き検出部と、
前記動映像及び停止映像の判断結果に対応して相異なるディザリング方法を適用するディザリング部と、を備えることを特徴とする表示装置のビデオデータ処理装置。
【請求項７】
前記ディザリング部は、自己に入力されるデータの階調値及び垂直同期信号を用いてｊ（ｊは自然数；横）×ｊ（縦）形態に配置された多数のディザマスクパターンからいずれか一つを選択し、水平同期信号及びピクセルクロックを用いて選択されたディザマスクパターンから特定ディザ値を抽出してディザリングを行うことを特徴とする、請求項６記載の表示装置のビデオデータ処理装置。
【請求項８】
ｉ＋１番目のフレームのデータが動映像と判断されると、前記ディザリング部は、ｉ＋１番目のフレームで一番目のディザマスクパターンを適用するとき、前記ｊ×ｊディザマスクパターンから一つの垂直ライン分を除去したｊ×（ｊ−１）のディザマスクパターンを用いてディザリングを行い、前記一番目を除いた残りのディザマスクパターンを適用するとき、前記ｊ×ｊディザマスクパターンを用いてディザリングを行うことを特徴とする、請求項７記載の表示装置のビデオデータ処理装置。
【請求項９】
前記ディザリング部は、前記ピクセルクロックを制御して前記ｉ＋１番目のフレームの一番目のディザマスクパターンでｊ×（ｊ−１）のディザマスクパターンのみを利用することを特徴とする、請求項８記載の表示装置のビデオデータ処理装置。
【請求項１０】
ｉ＋１番目のフレームのデータが停止映像と判断されると、前記ディザリング部は、前記ｊ×ｊディザマスクパターンを用いてディザリングを行うことを特徴とする、請求項７記載の表示装置のビデオデータ処理装置。
【発明の詳細な説明】
【技術分野】
【０００１】
本発明は、表示装置のビデオデータ処理方法及び装置に係り、動映像を表示するときに発生するディザリングノイズを最小化することができるような表示装置のビデオデータ処理方法及び装置に関する。
【背景技術】
【０００２】
表示装置は、液晶ディスプレーパネル、エレクトロ・ルミネセンスパネルおよびプラズマディスプレイパネルなど多様に開発されて利用されている。このうち、プラズマディスプレイパネル（Plasma Display Panel；以下、「ＰＤＰ」という）は、ガス放電によって発生する紫外線が蛍光体を励起させるときに蛍光体から発生する可視光線を用いて画像を表示する。かかるＰＤＰは、今まで表示手段の主軸を成してきた陰極線管（Cathode Ray Tube；ＣＲＴ）に比べて厚さが薄くて軽く、かつ高鮮明／大画面の具現が可能であるという長所がある。
【０００３】
図１及び図２を参照すると、３電極交流面放電型ＰＤＰは、上部基板１０上に形成された走査電極Ｙ１〜Ｙｎ及び維持電極Ｚと、下部基板１８上に形成されたアドレス電極Ｘ１〜Ｘｍと、を備える。
【０００４】
このＰＤＰの放電セル１は、走査電極Ｙ１〜Ｙｎ、維持電極Ｚ及びアドレス電極Ｘ１〜Ｘｍの交差部毎に形成される。
【０００５】
走査電極Ｙ１〜Ｙｎと維持電極Ｚのそれぞれは、透明電極１２と、透明電極１２の線幅より小さい線幅を有し、透明電極の一側縁に形成される金属バス電極１１と、を含む。透明電極１２は、通常インジウムスズ酸化物（Indium-Tin-Oxide：ＩＴＯ）で上部基板１０上に形成される。金属バス電極１１は、通常金属で透明電極１２上に形成され、高抵抗の透明電極１２による電圧降下を減らす役割を果す。走査電極Ｙ１〜Ｙｎと維持電極Ｚが形成された上部基板１０には、上部誘電体層１３と保護膜１４が積層される。上部誘電体層１３上にはプラズマ放電時に発生した壁電荷が蓄積される。保護膜１４は、プラズマ放電時に発生したスパッタリングによる電極Ｙ１〜Ｙｎ、Ｚと上部誘電体層１３の損傷を防止すると共に、２次電子の放出効率を高める。この保護膜１４としては通常酸化マグネシウム（ＭｇＯ）が利用される。
【０００６】
アドレス電極Ｘ１〜Ｘｍは、走査電極Ｙ１〜Ｙｎ及び維持電極Ｚと交差する方向に下部基板１８上に形成される。下部基板１８上には下部誘電体層１７と隔壁１５が形成される。下部誘電体層１７と隔壁１５の表面には蛍光体層１６が形成される。隔壁１５は、ストライプ型または格子型に形成され、放電セルを物理的に区分し、隣接した放電セル１間の電気的、光学的干渉を遮断する。蛍光体層１６は、プラズマ放電時に発生した紫外線によって励起・発光して赤色、緑色または青色のいずれか一つの可視光線を発生させる。
【０００７】
上／下部基板１０、１８と隔壁１５との間に設けられた放電セルの放電空間には、放電のためのＨｅ＋Ｘｅ、Ｎｅ＋ＸｅまたはＨｅ＋Ｎｅ＋Ｘｅなどの不活性混合ガスが注入される。
【０００８】
このようなＰＤＰは、画像の階調（Gray Level）を具現するために一つのフレームを、発光回数の異なる複数のサブフィールドに分けて時分割駆動している。各サブフィールドは、放電を一様に起こすためのリセット期間と、放電セルを選択するためのアドレス期間と、放電回数によって階調を具現するサステイン期間と、に分けられる。例えば、２５６階調で画像を表示しようとする場合、１／６０秒に該当するフレーム期間（１６.６７ｍｓ）は、８個のサブフィールドに分けられる。また、８個のサブフィールドのそれぞれは、リセット期間、アドレス期間及びサステイン期間にさらに分けられる。
【０００９】
ここで、各サブフィールドのリセット期間及びアドレス期間は各サブフィールド毎に同一である反面、サステイン期間とその放電回数はサステインパルスの数に比例して各サブフィールドにおいて２ｎ（ｎ＝０、１、２、３、４、５、６、７）の割合で増加する。このように各サブフィールドでサステイン期間が変わるので、画像の階調を具現することができる。
【００１０】
図３は、従来のプラズマディスプレイパネルの駆動装置を示す図である。
【００１１】
図３を参照すると、従来のＰＤＰの駆動装置は、ビデオデータの入力ラインとパネル４０との間に接続された逆ガンマ補正部３０、誤差拡散部３２、ディザリング部３４、サブフィールドマッピング部３６、データ駆動部３８を備える。
【００１２】
逆ガンマ補正部３０は、陰極線管ＣＲＴの輝度特性に合わせてガンマ補正されたデジタルビデオデータを逆ガンマ補正する。ここで、ガンマ補正部３０で逆ガンマ補正されたデジタルビデオデータは線形的な輝度特性を持つようになる。
【００１３】
誤差拡散部３２は、ガンマ補正部３０からのビデオデータと誤差拡散フィルターによって算出された画素の誤差を誤差拡散係数を利用して拡散させる。例えば、図４のように現在Ｐ５画素に対する誤差拡散演算を行う場合、Ｐ５画素に隣接したＰ１画素に１／１６の加重値を、Ｐ２画素に５／１６の加重値を、Ｐ３画素に３／１６の加重値を、Ｐ４画素に７／１６の加重値をそれぞれ付与して誤差を拡散する。
【００１４】
ディザリング部３４は、ディザマスクパターンを利用したディザリング方法によって点灯すべき放電セルを選択することにより、階調を拡張させる。このようにディザリング方法で点灯すべき放電セルを選択して階調を拡張させると、輪郭ノイズを除去することができる。例えば、ヨーロッパ特許出願第００２５００９９.９号などには、ＰＤＰに多数のフレーム、多数のライン及び多数の列（Column）に対応する３次元ディザマスクパターンを用いて点灯すべき放電セルを選択する方法が開始されている。
【００１５】
サブフィールドマッピング部３６は、ディザリング部３４からの画素データのそれぞれを、予め設定されたサブフィールドパターンにマッピングして出力する。
【００１６】
データ駆動部３８は、サブフィールドマッピング部３６からサブフィールドパターンによってビット別に分けられて入力されるデータをラッチした後、このラッチされたデータを、１ライン分ずつ１水平ラインが駆動される期間毎にパネル４０のアドレス電極ラインに供給する。パネル４０は、データ駆動部３８からアドレス電極ラインに供給されるデータに対応する所定の画像を表示する。
【００１７】
ところが、このような従来のＰＤＰは、動映像を表示するときにディザリングノイズが発生するという問題点がある。それを詳しく説明すると、ディザリング部３４はフレーム毎に相異なるディザマスクパターンを使用する。実際ディザリング部３４は略２フレーム〜４フレーム単位で繰り返されるディザマスクパターンを使用する。ここで、同一階調を持つとともにｉ（ｉは自然数）番目のフレーム及びｉ＋１番目のフレームに使用されるディザマスクパターンの“１”のディザ値は相異なる位置（例えば格子状）に配置される。例えば、ｉ番目のフレーム及びｉ＋１番目のフレームに使用されるディザマスクパターンは、図５のように設定される。
【００１８】
停止映像を表示する場合、ｉ番目のフレーム及びｉ＋１番目のフレームを合わせると図６のように格子状に点灯すべき放電セルが選択される。このように格子状に点灯すべき放電セルが選択されると、ノイズない画質の映像を表示することができる。しかしながら、ｉ＋１番目のフレームが１ピクセル移動する動映像を表示する場合、人の目では図７のようにディザマスクパターンがストライプ(Stripe)型に認識される。このように点灯すべき放電セルがストライプ型に認識されると、パネル４０に表示される画像で特定形態のノイズが発生し、これは非常に気になる形態に認識される。
【発明の開示】
【発明が解決しようとする課題】
【００１９】
本発明は、かかる従来の問題点を解決するためのもので、その目的は、動映像を表示するときに発生するディザリングノイズを最小化することができるような表示装置のビデオデータ処理方法及び装置を提供することにある。
【課題を解決するための手段】
【００２０】
本発明に係る表示装置のビデオデータ処理方法は、ｉ（ｉは自然数）番目のフレームのデータとｉ＋１番目のフレームのデータとを比較し、ｉ＋１番目のフレームのデータが動映像なのか停止映像なのかを判断する段階と、動映像及び停止映像の判断結果に対応して相異なるディザリング方法を適用する段階と、を含む。
【００２１】
前記ディザリング方法を適用する段階では、自己に入力されるデータの階調値及び垂直同期信号を用いてｊ（ｊは自然数；横）×ｊ（縦）形態に配置された多数のディザマスクパターンからいずれか一つを選択し、水平同期信号及びピクセルクロックを用いて選択されたディザマスクパターンから特定ディザ値を抽出してディザリングを行う。
【００２２】
前記ディザリング方法を適用する段階では、ｉ＋１番目のフレームのデータが動映像と判断されると、ｉ＋１番目のフレームで一番目のディザマスクパターンを適用するとき、ｊ×ｊディザマスクパターンから一つの垂直ライン分を除去したｊ×ｊ−１のディザマスクパターンを用いてディザリングを行い、一番目を除いた残りのディザマスクパターンを適用するとき、ｊ×ｊディザマスクパターンを用いてディザリングを行う。
【００２３】
前記ディザリング方法を適用する段階では、前記ｉ＋１番目のフレームの一番目のディザマスクパターンでｊ×（ｊ−１）のディザマスクパターンのみが利用できるようにピクセルクロックを制御する段階をさらに含む。
【００２４】
前記ディザリング方法を適用する段階では、ｉ＋１番目のフレームのデータが停止映像と判断されると、ｊ×ｊディザマスクパターンを用いてディザリングを行う。
【００２５】
本発明に係る表示装置のビデオデータ処理装置は、ｉ（ｉは自然数）番目のフレームのデータとｉ＋１番目のフレームのデータとを比較し、ｉ＋１番目のフレームのデータが動映像なのか停止映像なのかを判断する動き検出部と、動映像及び停止映像の判断結果に対応して相異なるディザリング方法を適用するディザリング部と、を備える。
【００２６】
前記ディザリング部は、自己に入力されるデータの階調値及び垂直同期信号を用いてｊ（ｊは自然数；横）×ｊ（縦）形態に配置された多数のディザマスクパターンからいずれか一つを選択し、水平同期信号及びピクセルクロックを用いて選択されたディザマスクパターンから特定ディザ値を抽出してディザリングを行う。
【００２７】
ｉ＋１番目のフレームのデータが動映像と判断されると、ディザリング部は、ｉ＋１番目のフレームで一番目のディザマスクパターンを適用するとき、前記ｊ×ｊディザマスクパターンから一つの垂直ライン分を除去したｊ×ｊ−１のディザマスクパターンを用いてディザリングを行い、一番目を除いた残りのディザマスクパターンを適用するとき、前記ｊ×ｊディザマスクパターンを用いてディザリングを行う。
【００２８】
前記ディザリング部は、ピクセルクロックを制御してｉ＋１番目のフレームの一番目のディザマスクパターンでｊ×ｊ−１のディザマスクパターンのみを利用する。
【００２９】
ｉ＋１番目のフレームのデータが停止映像と判断されると、ディザリング部はｊ×ｊディザマスクパターンを用いてディザリングを行う。
【００３０】
前記目的の外に本発明の他の目的及び特徴は、添付図を参照した実施例についての説明を通じて明白に現われるであろう。
【発明の効果】
【００３１】
本発明に係る表示装置のビデオデータ処理方法及び装置によれば、ｉ番目のフレームのデータとｉ＋１番目のフレームのデータとを比較し、ｉ＋１番目のフレームが動映像なのかを判断し、ｉ＋１番目のフレームが動映像の場合、ピクセルクロックを制御してｉ＋１番目のフレームの一番目に適用されるディザマスクパターンで一つの垂直ラインが選択されないようにディザリングを行うことにより、ノイズなしの画像を表示することができる。
【発明を実施するための最良の形態】
【００３２】
以下、図８〜図１２bを参照して本発明の好適な実施例について説明する。
【００３３】
図８は、本発明の実施例に係るプラズマディスプレイパネルの駆動波形を示す図である。
【００３４】
図８は、本発明の実施例に係るプラズマディスプレイパネルの駆動装置を示す図である。
【００３５】
図８を参照すると、本発明の実施例に係るＰＤＰの駆動装置は、入力ラインとパネル６０との間に接続された逆ガンマ補正部５０、誤差拡散部５２、ディザリング部５４、サブフィールドマッピング部５６、データ駆動部５８と、入力ラインとディザリング部５４との間に接続された動き検出部６２と、を備える。
【００３６】
逆ガンマ補正部５０は、陰極線管ＣＲＴの輝度特性に合わせてガンマ補正されたデジタルビデオデータを逆ガンマ補正する。ここで、ガンマ補正部５０で逆ガンマ補正されたデジタルビデオデータは線形的な輝度特性を持つようになる。
【００３７】
誤差拡散部５２は、ガンマ補正部５０からのビデオデータと誤差拡散フィルターによって算出された画素との誤差を誤差拡散係数を利用して拡散させる。例えば、図４のように現在Ｐ５画素に対する誤差拡散演算を行う場合、Ｐ５画素に隣接したＰ１画素に１／１６の加重値を、Ｐ２画素に５／１６の加重値を、Ｐ３画素に３／１６の加重値を、Ｐ４画素に７／１６の加重値をそれぞれ付与して誤差を拡散する。また、誤差拡散部５２では、誤差拡散模様が防止されるようにランダム化した加重値をＰ５に供給することができる。
【００３８】
ディザリング部５４は、ディザマスクパターンを利用したディザリング方法で点灯すべき放電セルを選択することにより、階調を拡張させる。また、ディザリング部５４は、動き検出部６２の制御により、動映像の場合、ディザマスクパターンの選択方法を変更することにより、ディザリングノイズの発生を防止する。このようなディザリング部５４の詳細な動作過程は後述することにする。
【００３９】
動き検出部６２は、フレーム単位でデータを比較して動映像の可否を判断する。また、動き検出部６２は、表示される映像が動映像であると判断されると、制御信号をディザリング部５４に供給する。このような動き検出部６２は、ｉ（ｉは自然数）番目のフレームとｉ＋１番目のフレームのデータとを比較することにより、ｉ＋１番目のフレームが動映像なのか停止映像なのかを判断する。
【００４０】
サブフィールドマッピング部５６は、ディザリング部５４からの画素データのそれぞれを、予め設定されたサブフィールドパターンにマッピングして出力する。
【００４１】
データ駆動部５８は、サブフィールドマッピング部５６から、サブフィールドパターンによってビット別に分離して入力されるデータをラッチした後、このラッチされたデータを、１ライン分ずつ１水平ラインが駆動される期間毎にパネル６０のアドレス電極ラインに供給する。パネル６０は、データ駆動部５８からアドレス電極ラインに供給されるデータに対応する所定の画像を表示する。
【００４２】
図９は、図８に示したディザリング部５４を詳しく示す図である。
【００４３】
図９を参照すると、ディザリング部５４は、マスク制御部６４と、マスク制御部６４の出力ラインと誤差拡散部５２の出力ラインとに接続されたディザマスクテーブル６６と、ディザマスクテーブル６６の出力ラインと誤差拡散部５２の出力ラインとに接続された加算器５６と、を備える。
【００４４】
加算器６８は、ディザマスクテーブル６６から供給されるディザ値を誤差拡散部５２から供給される画素データの上位ビットに加える。
【００４５】
ディザマスクテーブル６６は、階調別及びフレーム別に互いに異なるディザマスクパターンを格納する。例えば、図１０のように４×４のセル（サブ画素）大きさを有するディザマスクパターンが入力データの下位３ビットに対応して０〜７／８のように８個の階調別に分離し、その８個のディザマスクパターンのそれぞれがさらに４個のフレーム１Ｆ〜４Ｆ別に分離することにより、ディザマスクテーブル６６は総３２個のディザマスクパターンを格納する。
【００４６】
０、１／８、２／８、３／８、４／８、５／８、６／８、７／８、７／８階調のディザマスクパターンのそれぞれでディザ値“１”に設定されたセルの数は、０個、２個、４個、６個、８個、１０個、１２個、１４個順に増加する。また、４個のフレーム１Ｆ〜４Ｆ別にディザ値“１”に設定されたセルの位置が互いに変わる。このようなディザマスクパターンのそれぞれでの“１”の位置は、設計者の必要に応じて様々に変化できる。このようなディザマスクパターンによってディザ値“１”に該当するオン（Ｏｎ）セルの位置を空間的及び時間的に制御することができる。また、ディザマスクパターンでディザ値“１”の位置が階調別及びフレーム別に変わることにより、一定のディザマスクパターンの繰り返しによる格子ノイズなどのようなディザリングノイズを減らすことができる。
【００４７】
停止映像を表示するときの動作過程を説明すると、先ず、停止映像を表示する場合、動き検出部６２からマスク制御部６４に制御信号が供給されない。ディザマスクテーブル６６は、誤差拡散部５２から画素データ一部の下位ビット（例えば３ビット）の入力を受ける。また、ディザマスクテーブル６６は、入力された下位ビットに該当する階調のディザマスクパターンを図１０のようなディザマスクパターンの中から選択する。次いで、ディザマスクテーブル６６は、選択された階調のディザマスクパターンのうちマスク制御部６４が指示するフレーム及びセル位置に対応するディザ値を選択して加算器６８に出力する。
【００４８】
このために、マスク制御部６４は、外部の制御部（図示せず）から入力される垂直同期信号Ｖをカウントして４個のフレーム１Ｆ〜４Ｆのうち該当フレームを指示し、水平同期信号Ｈ及び画素クロック信号Ｐのそれぞれをカウントして該当フレーム内における水平ライン及び垂直ライン、すなわちセル位置を指示する。ここで、停止映像を表示すると、ばパネル６０の特定位置において、図１１ａに示したｉ番目のフレームのディザマスクパターンと、図１１ｂに示したｉ＋１番目のフレームのディザマスクパターンとが合わせられて、図１１ｃのように格子状に点灯すべき放電セルが選択される。したがって、停止映像を表示する場合、ノイズない画像を表示することができる。
【００４９】
動映像を表示するときの動作過程を説明すると、先ず、動映像を表示する場合、動き検出部６２からマスク制御部６４に制御信号が供給される。ディザマスクテーブル６６は、誤差拡散部５２から入力された画素データの一部の下位ビット（例えば３ビット）の入力を受ける。また、ディザマスクテーブル６６は、入力された下位ビットに該当する階調のディザマスクパターンを図１０のようなディザマスクパターンの中から選択する。次いで、ディザマスクテーブル６６は、選択された階調のディザマスクパターンのうちマスク制御部６４が指示するフレーム及びセル位置に対応するディザ値を選択して加算器６８に出力する。
【００５０】
このために、マスク制御部６４は、外部の制御部（図示せず）から入力される垂直同期信号Ｖをカウントして４個のフレーム１Ｆ〜４Ｆのうち該当フレームを指示し、水平同期信号Ｈ及び画素クロック信号Ｐのそれぞれをカウントして該当フレーム内における水平ライン及び垂直ライン、すなわちセル位置を指示する。一方、マスク制御部６４は、動き検出部６２から制御信号が入力される場合、図１２ａのように一番目のディザマスクパターン、すなわち４×４ディザマスクパターンから一つの垂直ラインを除去した４（横）×３（縦）のディザマスクパターンを用いてディザリングを行う。ここで、一番目に適用されるディザマスクパターン以外のパターンは、正常に４×４ディザマスクパターンを用いてディザリングを行う。このために、マスク制御部６４は、動き検出部６２から制御信号が入力されるとき、ｉ＋１番目のフレームにおいて一番目に適用されるディザマスクパターンから一つの垂直ライン分だけが選択されないようにピクセルクロックＰを制御する。
【００５１】
一方、ｉ＋１番目のフレームにおいて一番目に適用されるディザマスクパターンが、４×３｛すなわち、本来ｊ（ｊは自然数；横）×ｊ（縦）のパターンでｊ（横）×（ｊ−１）（縦）のパターンのみを適用｝のディザマスクパターンを用いてディザリングを行うと、ｉ番目のフレーム及びｉ＋１番目のフレームのディザマスクパターンが合わせられて図１２ｂのように人の目では格子型に認識される。すなわち、ｉ＋１番目のフレームが１ピクセル移動されたので、図１２ｂのように人の目では格子型のパターンとして認識され、これにより動映像でもノイズない画像を表示することができる。
【図面の簡単な説明】
【００５２】
【図１】従来のプラズマディスプレイパネルを概略的に示す平面図である。
【図２】図１に示したセルの構造を詳しく示す斜視図である。
【図３】従来のプラズマディスプレイパネルの駆動装置を示すブロック図である。
【図４】図３に示した誤差拡散部で行われる誤差拡散法を示す図である。
【図５】図３に示したディザリング部で用いられるディザマスクパターンを示す図である。
【図６】図５に示したディザマスクパターンが停止映像に適用されるときを示す図である。
【図７】図５に示したディザマスクパターンが動映像に適用されるときを示す図である。
【図８】本発明の実施例に係るプラズマディスプレイパネルの駆動装置を示す図である。
【図９】図８に示したディザリング部を詳しく示す図である。
【図１０】図８に示したディザリング部で用いられるディザマスクパターンを示す図である。
【図１１ａ】停止映像の場合にディザマスクパターンが適用されることを示す図である。
【図１１ｂ】停止映像の場合にディザマスクパターンが適用されることを示す図である。
【図１１ｃ】停止映像の場合にディザマスクパターンが適用されることを示す図である。
【図１２ａ】動映像の場合にディザマスクパターンが適用されることを示す図である。
【図１２ｂ】動映像の場合にディザマスクパターンが適用されることを示す図である。
【図１】
2005182016.tif 000003
【図２】
2005182016.tif 000004
【図３】
2005182016.tif 000005
【図４】
2005182016.tif 000006
【図５】
2005182016.tif 000007
【図６】
2005182016.tif 000008
【図７】
2005182016.tif 000009
【図８】
2005182016.tif 000010
【図９】
2005182016.tif 000011
【図１０】
2005182016.tif 000012
【図１１ａ】
2005182016.tif 000013
【図１１ｂ】
2005182016.tif 000014
【図１１ｃ】
2005182016.tif 000015
【図１２ａ】
2005182016.tif 000016
【図１２ｂ】
2005182016.tif 000017